(57)【要約】【課題】  意匠性を高めるとともに、設置時およびメンテナンス時の作業性を向上させた空気調和機を提供する。【解決手段】  本体前面に吸込口１と、その上下に一対の吹出口２，２’とを備え、本体内に熱交換器３と、上下一対のクロスフローファン４，４’と、電源ケーブルを接続する端子盤５と、冷媒管を接続する配管接続部６と、前記クロスフローファン４，４’を駆動する一対のファンモータ７，７’と、電装部８とを設けた空気調和機であって、前記本体内の一側部に、前記端子盤５と前記配管接続部６とが配置され、他側部に、前記一対のファンモータ７，７’と前記電装部８とが配置される構成にした。【選択図】  図１
2008267656.tif 000002
【特許請求の範囲】
【請求項１】
本体前面に吸込口と、その上下に一対の吹出口とを備え、本体内に熱交換器と、上下一対のクロスフローファンと、電源ケーブルを接続する端子盤と、冷媒管を接続する配管接続部と、前記クロスフローファンを駆動する一対のファンモータと、電装部とを設けた空気調和機であって、
前記本体内の一側部に、前記端子盤と前記配管接続部とが配置され、他側部に、前記一対のファンモータと前記電装部とが配置されてなることを特徴とする空気調和機。
【請求項２】
前記電装部が、前記一対のファンモータの間に配置されてなることを特徴とする請求項１に記載の空気調和機。
【請求項３】
前記端子盤が、前記上部のクロスフローファンの下端よりも上位に配置されてなることを特徴とする請求項１に記載の空気調和機。
【請求項４】
前記配管接続部の後部に、冷媒の流れを変える冷媒回路部品を格納する格納スペースが設けられてなることを特徴とする請求項１に記載の空気調和機。
【発明の詳細な説明】
【技術分野】
【０００１】
本発明は、床置き型の空気調和機に係わり、より詳細には、意匠性を高めるとともに、設置時およびメンテナンス時の作業性を向上させた構造に関する。
【背景技術】
【０００２】
従来の床置き型の空気調和機として、本体の前面中央に吸込口を形成し、この吸込口の上方および下方に夫々吹出口を形成し、この吸込口から前記吹出口へ至る通風路中に熱交換器と一対のクロスフローファンとを配置し、前記一対のクロスフローファン間の通風路にはこれらファンへ風を導く風案内板を設け、該箇所における送風性能を向上させるようにしたものが知られている（例えば、特許文献１参照。）。
【０００３】
このものにおいて、本体内の一側部には前記一対のクロスフローファン用のモータが配置されているので（特許文献１に添付の図５、図７〜図９参照）、他側部には電装部、端子盤および配管接続部などを配置できるスペースが確保されていないことから、これらもモータといっしょに一側部に集中して設けられているため、冷媒分流器を追加することができず、例えば、１台の室外機に対して１台の室内機だけを接続するペア型のものから、１台の室外機に対して並列に複数の室内機を接続するマルチ型のものに変換することができなかった。
【０００４】
また、モータ、電装部、電源ケーブルを接続する端子盤および冷媒管を接続する配管接続部などが本体内の一側部に集中していて、熱交換器または電装部を取り外さなければ前記一対のクロスフローファンおよび前記モータの交換を行なえなかったり、また、前面を覆うパネルが一体化されていることから、据付工事や電気部品交換などのサービス作業時は、前面すべてを覆う前面パネルを外す必要があるため作業性が悪いという問題点を有していた。
【０００５】
また、電装部（電装品箱）が上部のモータを覆うように配置されているため、配管接続部（フレアナット）が電装部（電装品箱）より下に位置していて、配管接続の作業性が悪いという問題点を有していた。
【０００６】
また、吸込口や吹出口の位置が他側寄りに片寄っていて、左右対称の配置になっていない構成であることから意匠性が悪いという問題点を有していた。
【０００７】
または、一対のクロスフローファンおよび一対のファンモ−タを用いた他の空気調和機として、本体内に収容配置される構成部品の締結方向を設定して作業性の向上をはかれ、一対の室内送風機の配置構造を設定することにより、ファンモ−タは同一回転方向でよく、部品点数の削減を得られるようにしたものが知られている（例えば、特許文献２参照。）。
【０００８】
このものにおいて、一方のファンモ−タは他方に設けられた電気部品箱から離間してしまう（特許文献２に添付の図３、図４および図１０参照）ことになって、配線の引き回しがやりにくくなったり、メンテナンス時の作業性が悪くなってしまうという問題点を有していた。
【特許文献１】特開平０３−１１７８２８号公報
【特許文献２】特開２００１−１９３９５７号公報
【発明の開示】
【発明が解決しようとする課題】
【０００９】
そこで、本発明は上述した課題を解決するためになされたものであって、その目的は、意匠性を高めるとともに、設置時およびメンテナンス時の作業性を向上させた空気調和機を提供することにある。
【課題を解決するための手段】
【００１０】
上述した目的を達成するため、本発明は以下に示す特徴を備えている。
【００１１】
本体前面に吸込口と、その上下に一対の吹出口とを備え、本体内に熱交換器と、上下一対のクロスフローファンと、電源ケーブルを接続する端子盤と、冷媒管を接続する配管接続部と、前記クロスフローファンを駆動する一対のファンモータと、電装部とを設けた空気調和機であって、
前記本体内の一側部に、前記端子盤と前記配管接続部とが配置され、他側部に、前記一対のファンモータと前記電装部とが配置されてなることを特徴としている。
【００１２】
また、前記電装部が、前記一対のファンモータの間に配置されてなることを特徴としている。
【００１３】
また、前記端子盤が、前記上部のクロスフローファンの下端よりも上位に配置されてなることを特徴としている。
【００１４】
また、前記配管接続部の後部に、冷媒の流れを変える冷媒回路部品を格納する格納スペースが設けられてなることを特徴としている。
【発明の効果】
【００１５】
本発明によれば、吸込口および吹出口を左右の中央部に設け左右対称な構成にして意匠性を高めるとともに、設置時に接続作業を行なう端子盤および配管接続部を一側に、メンテナンスを行なう一対のファンモータおよび電装部を他側に配置して作業性を向上させた空気調和機を提供できる。
【発明を実施するための最良の形態】
【００１６】
次に、本発明の実施形態について図面を参照しながら説明する。
【００１７】
図１は本発明による空気調和機の説明図で、図１（Ａ）は外観斜視図、図１（Ｂ）は吸込グリルと、左パネルおよび右パネルを取り外した外観斜視図であり、図２は上位部の送風機およびファンケーシングを取り外した分解斜視図であり、図３は本発明による空気調和機の第一の分解斜視図であり、図４は本発明による空気調和機の第二の分解斜視図である。
【００１８】
本発明による空気調和機は、図１乃至図４に示すように、本体前面に吸込口１と、その上下に一対の吹出口２および２’とを備え、前記吸込口１と、前記吹出口２および２’とを結ぶ本体内の空気通路に、熱交換器３と、上下一対のクロスフローファン４および４’とを備えている。
【００１９】
前記空気通路を構成する背面パネル１５に、前記熱交換器３と、前記上下一対のクロスフローファン４および４’とが設けられ、本体内の一側部に設けられた接続空間には、図３および図４に示すように、電源ケーブルを接続する端子盤カバー５ａを備えた端子盤５と、冷媒管を接続する配管接続部６とが設けられている。
【００２０】
前記本体内の他側部に設けられた電装空間には、図１（Ｂ）に示すように、前記上下一対のクロスフローファン４および４’を夫々駆動する上部のファンモータ７および下部のファンモータ７’が設けられるとともに、これら上部のファンモータ７および下部のファンモータ７’間に電装部８が設けられている。
【００２１】
前記電装部８は、前記上下一対のファンモータ７および７’の間に設けられたことにより、図２に示すように、例えば前記上部のファンモータ７および前記上部のクロスフローファン４を取り外して交換するような場合、前記電装部８を取り外すことなくこれらを取り外して交換できるようになる。
【００２２】
また、前記電装部８は、電装品８ａを収容する電装箱８ｂと、内蓋８ｄおよび電装蓋８ｃとで構成され、前記上部のファンモータ７および前記下部のファンモータ７’に連なる配線を上下部から導入できるので、配線の長さを短く詰めることができて引き回しを行ないやすくした構成になっている。
【００２３】
また、同様に、設置時およびメンテナンス時とも、前記一対のファンモータ７および７’、前記電装部８、電源ケーブルを接続する前記端子盤５および冷媒管を接続する前記配管接続部８などが同じ一側に集中していないので、前記熱交換器３または前記電装部８を取り外さなくても、前記一対のクロスフローファン４および４’や、前記一対のファンモータ７および７’の交換を行なえるようになる。
【００２４】
前記熱交換器３の前部には前記吸込口１をなす中央パネル１１が設けられ、前記電装空間の前部には左パネル１２が設けられ、前記接続空間の前部には右パネル１３が設けられている。
【００２５】
前記中央パネル１１と前記左パネル１２と前記右パネル１３とで前面パネル１０が構成されており、前記中央パネル１１の前部には除塵用のエアフィルタ１８が着脱可能に設けられ、同エアフィルタ１８の前部には吸込グリル１４が着脱可能に設けられている。
【００２６】
前記中央パネル１１の上下部には、前記上下一対のクロスフローファン４および４’を夫々収容するファンケーシング１６および１６’が設けられ、同ファンケーシング１６および１６’は、前記熱交換器３によって熱交換された空気を被空調室内に吹き出す吹出口２および２’を夫々備えた構成になっている。
【００２７】
前記熱交換器３と、前記上下一対のクロスフローファン４および４’とを備え、前記接続空間に前記端子盤５と前記配管接続部６とを備え、前記電装空間に前記上下一対のファンモータ７および７’と前記電装部８とを備えた前記背面パネル１５に、前記前面パネル１０が装着されるとともに、同前面パネル１０に、前記エアフィルタ１８および前記吸込グリル１４が着脱可能に設けられることによって空気調和機の本体が構成されている。
【００２８】
前記吸込口１と、前記一対の吹出口２および２’とは、図１（Ａ）に示すように、空気調和機本体としての構成が左右対称になるように配置されており、これによって、これら吸込口１や吹出口２および２’が一側寄りに片寄ることなく、左右のバランスがとれるように配置されて意匠性のよい構成になっている。
【００２９】
上記構成により、前記上部のクロスフローファン４および前記下部のクロスフローファン４’によって前記吸込口１から吸い込まれた空気は、前記エアフィルタ１８によって除塵され、前記熱交換器３によって熱交換されたのち、前記上部の吹出口２および前記下部の吹出口２’から被空調室に吹き出されるようになっている。
【００３０】
または、前記上部のクロスフローファン４を起動する一方、前記下部のクロスフローファン４’を停止した状態で前記吸込口１から吸い込まれた空気は、前記エアフィルタ１８によって除塵され、前記熱交換器３によって熱交換されたのち、前記上部の吹出口２から被空調室に吹き出されるようになっている。
【００３１】
その際、前記下部のクロスフローファン４’は停止するとともに、前記下部の吹出口２’は、同下部の吹出口２’に備えた開閉部材によって閉塞されるようになっている。
【００３２】
前記本体内の一側部に前記接続空間が形成される一方、他側部に同接続空間と同等の幅寸法で前記電装空間が形成されることによって、上述したように、前記吸込口１と前記一対の吹出口２および２’の両側部に、前記接続空間および前記電装空間が左右対称になるように配置されることで意匠性を良好にした構成になる。
【００３３】
また、上述した従来技術のように、前記電装部８が前記上部のファンモータ７を覆うことがないように配置されているので、前記配管接続部６に冷媒管を接続する配管接続時の作業性が悪いという問題点を解決できるようになる。
【００３４】
また、空気調和機本体の前部を覆う前記前面パネル１０が一体化されておらず、前記中央パネル１１と、前記左パネル１２と、前記右パネル１３とに分割されており、これらが個別に取り外し可能であることから、据付設置工事や電気部品交換などのサービス作業時に、作業をするために必要な箇所のみ取り外せばよいので作業性が良好になる。
【００３５】
前記接続空間に設けられた前記端子盤５は、前記上部のクロスフローファン４の下端よりも上位に位置するように配置されている。
【００３６】
これによって、前記端子盤５に、例えば図示しない室外機に連なる電源ケーブルを接続する際、同端子盤５の位置は作業者が姿勢を低くしたり、腰を曲げたりしなくても接続作業を行なえる高さになって作業性が良好になる。
【００３７】
また、前記端子盤５が上位部に配置されるのに伴って、前記配管接続部６も上位部に配置することが可能になり、同様に、同配管接続部６に冷媒管を接続するための作業性が良好になる。
【００３８】
また、前記配管接続部６の後部には、前記熱交換器３を含む冷凍サイクルに、例えば冷媒の流れを変える電動弁あるいは電磁弁といった冷媒回路部品を組み付けることを想定して、同冷媒回路部品を格納するための格納スペース９が設けられているので、前記冷媒回路部品を設ける場合には便利である。
【００３９】
前記接続空間の前部には前記右パネル１３が被着されており、同右パネル１３を取り外すことによって前記端子盤５に電源ケーブルを接続したり、前記配管接続部６に冷媒管を接続するための接続作業を行なえるようになっている。
【００４０】
また、前記電装空間の前部には前記左パネル１２が被着されており、同左パネル１２を取り外すことによって前記上下一対のファンモータ７および７’と、前記電装部８とのメンテナンスをするための作業を行なえるようになっている。
【００４１】
前記吸込グリル１４および前記上部の吹出口２の間であって、前記中央パネル１１の上部前面には運転情報を点灯表示する表示部１７が設けられている。
【００４２】
以上説明したように、本発明による空気調和機であれば、前記端子盤５と前記配管接続部６とを一側部に配置して前記右パネル１３で覆うようにしたことにより、据付設置時に前記端子盤５および前記配管接続部６への接続作業が行ないやすくなる。
【００４３】
前記上下一対のファンモータ７および７’と、前記電装部８とを他側部に配置して前記左パネル１２で覆うようにしたことにより、メンテナンス時に前記上下一対のファンモータ７，７’および前記電装部８へのサービス作業が行ないやすくなる。
【００４４】
また、前記吸込口１と、前記吹出口２および２’と、前記接続空間と、前記電装空間とが左右対称に配置された構成になって、意匠性を高めた床置き型の空気調和機を提供できるようになる。
【図面の簡単な説明】
【００４５】
【図１】本発明による空気調和機の説明図で、図１（Ａ）は外観斜視図であり、図１（Ｂ）は吸込グリルと、左パネルおよび右パネルを取り外した外観斜視図である。
【図２】上位部の送風機およびファンケーシングを取り外した分解斜視図である。
【図３】本発明による空気調和機の第一の分解斜視図である。
【図４】本発明による空気調和機の第二の分解斜視図である。
【符号の説明】
【００４６】
１  吸込口
２  上部の吹出口
２’  下部の吹出口
３  熱交換器
４  上部のクロスフローファン
４’  下部のクロスフローファン
５  端子盤
５ａ  端子盤カバー
６  配管接続部
７  上部のファンモータ
７’  下部のファンモータ
７ａ  上部のモータホルダ
７ａ’  下部のモータホルダ
８  電装部
８ａ  電装品
８ｂ  電装箱
８ｃ  電装蓋
８ｄ  内蓋
９  格納スペース
１０  前面パネル
１１  中央パネル
１２  左パネル
１３  右パネル
１４  吸込グリル
１５  背面パネル
１６  上部のファンケーシング
１６’  下部のファンケーシング
１７  表示部
１８  エアフィルタ
【図１】
2008267656.tif 000003
【図２】
2008267656.tif 000004
【図３】
2008267656.tif 000005
【図４】
2008267656.tif 000006